(57)【要約】【課題】  位置合わせの精度向上させて生体情報を測定できる光式生体情報測定装置を提供すること。【解決手段】  生体１２の表面に配置されるための測定面１３と、目印を生体１２の表面の測定すべき部位に表示する目印表示部１６と、生体１２に所定の波長の光を照射する発光部１５と、生体１２に照射され、生体１２から帰還した光を受光する受光部１４と、を備え、前記受光した光に基づいて、生体１２の情報を測定する、光式生体情報測定装置。【選択図】  図１
2005288144.tif 000002
【特許請求の範囲】
【請求項１】
生体表面に配置されるための測定面と、
目印を生体表面の測定すべき部位に表示する目印表示部と、
前記生体表面に所定の波長の光を照射する発光部と、
前記生体表面に照射され、前記生体から帰還した光を受光する受光部と、を備える、光式生体情報測定装置。
【請求項２】
前記目印表示部は、前記測定すべき部位を照明するための可視光を照射する可視光源を有する、請求項１に記載の光式生体情報測定装置。
【請求項３】
前記可視光源が、前記測定面の端部に配置されている、請求項２に記載の光式生体情報測定装置。
【請求項４】
さらに、前記測定面が前記生体の表面に接したことを検知する接触検知部を備え、
前記測定面が前記生体の表面に接したことを前記接触検知部が検知した後に、前記可視光源からの可視光の照射が停止される、請求項２に記載の光式生体情報測定装置。
【請求項５】
前記接触検知部は、前記受光部で受光される光の受光量の変化に基づいておよび／または前記測定面と前記生体との密着を検出することによって、前記測定面が前記生体の表面に接したことを判断する、請求項４に記載の光式生体情報測定装置。
【請求項６】
前記可視光源が照射する前記可視光の色は赤色である、請求項２に記載の光式生体情報測定装置。
【請求項７】
前記測定面は、その表面の一部が可視光の一部もしくは全部を反射する、請求項１に記載の光式生体情報測定装置。
【請求項８】
前記測定面が鏡面を呈している、請求項７に記載の光式生体情報測定装置。
【請求項９】
さらに、前記受光部で受光した前記生体内を伝播した前記光の受光量に基づいて局所脂肪厚を算出する演算部を備えた、請求項１に記載の光式生体情報測定装置。
【請求項１０】
前記受光部は、前記発光部からの距離が異なる位置に配置されている、それぞれが前記光を受光する２つの受光素子を有しており、
前記演算部は、前記２つの受光素子のそれぞれが受光した２つの受光量の比から前記局所脂肪厚を以下の数式に基づいて、
(数１)
Ｔ＝Ａ・Ｘ１／Ｘ２＋Ｂ
（Ａ、Ｂは係数、Ｘ１、Ｘ２はそれぞれ、第１、２受光素子における受光量）
算出する、請求項９に記載の光式生体情報測定装置。
【請求項１１】
前記発光部は、２種類の波長の光を発光することができ、
前記受光部は、前記２種類の波長の光を受光することができ、
さらに、前記受光部で受光される前記２種類の波長の光に対するそれぞれの受光量の比から局所組織酸素濃度を算出する演算部を備える、請求項１に記載の光式生体情報測定装置。
【請求項１２】
前記２種類の波長の光は、実質上６５０ｎｍの波長を含む光と実質上８５０ｎｍの波長を含む光である、請求項１１に記載の光式生体情報測定装置。
【請求項１３】
前記受光部は、前記可視光源から出される可視光と、前記所定の波長の光とを受光することができ、
さらに、前記受光部で受光される前記可視光と前記所定の波長の光とのそれぞれの受光量の比から局所組織酸素濃度を算出する演算部を備える、請求項２に記載の生体情報測定装置。
【請求項１４】
請求項１０に記載の光式生体情報測定装置の、前記受光部で受光される前記光の受光量に基づいて、前記局所脂肪厚を算出する演算部としてコンピュータを機能させるためのプログラム。
【請求項１５】
請求項１４に記載のプログラムを担持した記録媒体であって、コンピュータで処理可能な記録媒体。
【請求項１６】
前記目印表示部は、前記生体表面上の所定の位置に目印を形成するための目印作成部であり、
前記目印作成部は、前記測定面上に形成された１つ以上の貫通孔を有する、請求項１に記載の光式生体情報測定装置。
【請求項１７】
前記貫通孔は、前記受光部が前記貫通孔を介して外部からの光の影響を受けない位置に配置されている、請求項１６に記載の光式生体情報測定装置。
【請求項１８】
前記目印表示部は、前記生体表面上の測定すべき位置に目印を形成するための目印作成部であり、
前記測定面には、前記生体表面の測定すべき位置に形成された目印に前記測定面を位置合わせするための位置合わせ部が形成されており、
前記位置合わせ部は、前記目印が形成された生体表面に照射するための位置合わせ光源と、前記位置合わせ光源から前記生体表面に照射され、前記生体表面から反射された光を受光するための少なくとも１つの位置合わせ受光部を有しており、
前記目印は、その光の吸収率または反射率が、前記生体表面上の前記目印が形成されていない部分における光の吸収率または反射率と異なっており、
前記位置合わせ受光部における受光強度に基づいて前記目印に対する前記測定面の位置合わせ状態を判定する、請求項１に記載の光式生体情報測定装置。
【請求項１９】
前記目印作成部が前記生体表面上に作成した目印の位置に、前記位置合わせ部の位置を移動することができる駆動機構をさらに備える、請求項１８に記載の光式生体情報測定装置。
【請求項２０】
前記位置合わせ部および前記目印作成部は、前記測定面にそれぞれ少なくとも２つ形成されている、請求項１８に記載の光式生体情報測定装置。
【請求項２１】
前記位置合わせ受光部における受光強度に基づいて位置合わせ状態を判定する演算部をさらに備え、
前記位置合わせ光源は、前記位置合わせ部の中心に配置されており、
前記位置合わせ受光部は、前記位置合わせ光源の周囲に均等な間隔で配置される複数の受光体を有しており、
前記演算部は、前記各受光体において受光される光の強度が、実質上互いに等しいとき、位置合わせ状態と判定し、前記各受光体において受光される光の強度が実質上互いに異なるとき、位置ずれ状態と判定する、請求項１８に記載の光式生体情報測定装置。
【請求項２２】
前記位置合わせ状態または前記位置ずれ状態を表示するための表示部をさらに備え、
前記演算部は、前記位置ずれ状態と判定したとき、前記位置合わせ状態となるべき方向を前記表示部に表示させる、請求項２１に記載の光式生体情報測定装置。
【請求項２３】
前記生体表面上の所定の位置に目印を表示する工程と、
前記生体表面に表示された目印に、測定面を位置合わせする工程と、
前記生体表面に所定の波長の光を照射する工程と、
前記生体表面に照射され、生体から帰還した光を受光する工程と、
前記受光した光に基づいて前記生体の情報を測定する、光式生体情報測定方法。
【請求項２４】
請求項２１に記載の光式生体情報測定装置の、前記位置合わせ受光部における受光強度に基づいて位置合わせ状態を判定する演算部としてコンピュータを機能させるためのプログラム。
【請求項２５】
請求項２４に記載のプログラムを担持させ、コンピュータにより処理可能な記録媒体。
【請求項２６】
請求項１に記載の光式生体情報測定装置と、
前記生体に関する情報を入力する入力部と、
前記入力部から入力された情報と、前記光式生体情報測定装置から出力された情報とに基づいて演算を行う演算部と、
前記入力部に入力される情報に対応する生体情報があらかじめ格納されている記憶部と、
前記記憶部にあらかじめ格納されている生体情報および前記演算部によりなされた演算結果を比較する比較部と、を備え、前記生体情報測定装置により測定された情報の判定を行う、生体情報判定装置。
【請求項２７】
前記発光部から照射される前記光は近赤外光である、請求項１に記載の光式生体情報測定装置。
【請求項２８】
前記測定面の表面の少なくとも一部は、前記発光部から照射される近赤外光を吸収する、請求項２７に記載の光式生体情報測定装置。
【請求項２９】
前記測定面は、凸形状である、請求項７に記載の光式生体情報測定装置。
【請求項３０】
前記生体表面に表示された目印に測定面を位置合わせする工程は、前記目印に、可視光の一部または全部を反射する測定面を、前記測定面に写された前記生体表面を見ながら位置合わせする工程を含む、請求項２３に記載の光式生体情報測定方法。
【発明の詳細な説明】
【技術分野】
【０００１】
本発明は、光により生体情報を測定する光式生体情報測定装置、光式生体情報測定方法、生体情報判定方法、そのプログラム、および記録媒体に関するものである。例えば、局所皮下脂肪厚を測定する光式脂肪厚測定装置や筋肉の組織酸素濃度を測定する組織酸素濃度測定装置などに関する。
【背景技術】
【０００２】
従来の局所脂肪厚などの生体情報を測定する光式生体情報測定装置としては、生体表面に発光部と受光部を配置し拡散反射光から脂肪厚を測定しているものがあった（例えば、特許文献１参照）。
【０００３】
図２０は、従来の皮下脂肪厚計測装置のブロック図である（例えば、特許文献１参照。）。ＣＰＵ１からの指令により駆動回路２によって発光素子３が駆動され、近赤外光を発する。この近赤外光は、皮下脂肪４を通り、散乱吸収を受け、その拡散反射光は受光素子５、６、７によって受光される。ＣＰＵ１は、測定部位選択入力部１０でボタンにより選択されている測定部位に応じて、受光素子５、６、７のいずれの出力を適用するかを決定し、アナログスイッチ８を動作させる。そして、アナログスイッチ８でいずれか一つの受光入力が選択され、ＡＭＰ９を介してＣＰＵ１に取り込まれる。そして、ＣＰＵ１はその受光入力に基づいて演算し、測定結果を測定値表示部５０に表示する。
【０００４】
また、他の従来技術として、さらに複数の異なる光路長が得られるように発光素子と受光素子を配置し、受光素子で得られた異なる光路長に対する複数の受光量から皮膚の色等のバラツキ補正を行ったものもあった（例えば、特許文献２参照）。
【０００５】
また、他の従来技術として、さらに、生体に測定プローブを押し当てる力を計測したり、測定プローブを突起形状とすることで、脂肪厚の変動を補正し、安定化させて測定再現性を向上させるものがあった。（例えば特許文献３参照。）
【特許文献１】特開平１１−２３９５７３号公報（例えば、第６図）
【特許文献２】特開２０００−１５５０９１号公報（例えば、第４図）
【特許文献３】特開２００３−３１０５７５号公報
【発明の開示】
【発明が解決しようとする課題】
【０００６】
しかしながら、従来の構成の皮下脂肪厚計測装置では、生体との接触部である測定面が平面であり、使用者が測りたい測定部位をその測定面のどこに当てればよいかがわかりにくい構造であった。また、発光素子から発光される光も人の目には見えない赤外光であるため、使用者が測定したいところが測れているかがわからなかった。また、測定部位の位置合わせが難しく、測定ごとに測定位置ずれが生じ、測定再現性が悪化していた。生体は皮下脂肪の厚みが均一ではないので、測定ごとに位置がずれてしまうだけで、大きな測定誤差が生じていた。運動や、エステなどの痩身の効果を計測する上で、位置ずれによる測定誤差が大きいことは効果の確認において大きな問題であり、常に同じ位置で計測する必要があった。
【０００７】
また、従来の構成の皮下脂肪厚計測装置では、特に皮下脂肪が気になる二の腕や大腿部の裏側や背中などの部位の自己測定においては、測定部位が測定者から見えにくく、このため測定するごとに測定位置のずれにより測定再現性が悪化し、自己測定ができないという課題を有していた。特に、二の腕の裏側は皮下脂肪の厚みが均一ではないので、測定ごとに位置がずれてしまうと、位置ずれだけで大きな測定誤差が生じていた。
【０００８】
本発明は、上記従来の課題を考慮して、位置合わせ精度が良く生体情報を測定できる光式生体情報測定装置、光式生体情報測定方法、そのプログラム、記録媒体、およびそれを利用した生体情報判定装置を提供することを目的とする。
【課題を解決するための手段】
【０００９】
上記課題を解決するために、第１の本発明は、生体表面に配置されるための測定面と、
目印を生体表面の測定すべき部位に表示する目印表示部と、
前記生体表面に所定の波長の光を照射する発光部と、
前記生体表面に照射され、前記生体から帰還した光を受光する受光部と、を備える、光式生体情報測定装置である。
【００１０】
第２の本発明は、前記目印表示部は、前記測定すべき部位を照明するための可視光を照射する可視光源を有する、第１の本発明の光式生体情報測定装置である。
【００１１】
第３の本発明は、前記可視光源が、前記測定面の端部に配置されている、第２の本発明の光式生体情報測定装置である。
【００１２】
第４の本発明は、さらに、前記測定面が前記生体の表面に接したことを検知する接触検知部を備え、
前記測定面が前記生体の表面に接したことを前記接触検知部が検知した後に、前記可視光源からの可視光の照射が停止される、第２の本発明の光式生体情報測定装置である。
【００１３】
第５の本発明は、前記接触検知部は、前記受光部で受光される光の受光量の変化に基づいておよび／または前記測定面と前記生体との密着を検出することによって、前記測定面が前記生体の表面に接したことを判断する、第４の本発明の光式生体情報測定装置である。
【００１４】
第６の本発明は、前記可視光源が照射する前記可視光の色は赤色である、第２の本発明の光式生体情報測定装置である。
【００１５】
第７の本発明は、前記測定面は、その表面の一部が可視光の一部もしくは全部を反射する、第１の本発明の光式生体情報測定装置である。
【００１６】
第８の本発明は、前記測定面が鏡面を呈している、第７の本発明の光式生体情報測定装置である。
【００１７】
第９の本発明は、さらに、前記受光部で受光した前記生体内を伝播した前記光の受光量に基づいて局所脂肪厚を算出する演算部を備えた、第１の本発明の光式生体情報測定装置である。
【００１８】
第１０の本発明は、前記受光部は、前記発光部からの距離が異なる位置に配置されている、それぞれが前記光を受光する２つの受光素子を有しており、
前記演算部は、前記２つの受光素子のそれぞれが受光した２つの受光量の比から前記局所脂肪厚を以下の数式に基づいて、
(数１)
Ｔ＝Ａ・Ｘ１／Ｘ２＋Ｂ
（Ａ、Ｂは係数、Ｘ１、Ｘ２はそれぞれ、第１、２受光素子における受光量）
算出する、第９の本発明の光式生体情報測定装置である。
【００１９】
第１１の本発明は、前記発光部は、２種類の波長の光を発光することができ、
前記受光部は、前記２種類の波長の光を受光することができ、
さらに、前記受光部で受光される前記２種類の波長の光に対するそれぞれの受光量の比から局所組織酸素濃度を算出する演算部を備える、第１の本発明の光式生体情報測定装置である。
【００２０】
第１２の本発明は、前記２種類の波長の光は、実質上６５０ｎｍの波長を含む光と実質上８５０ｎｍの波長を含む光である、第１１の本発明の光式生体情報測定装置である。
【００２１】
第１３の本発明は、前記受光部は、前記可視光源から出される可視光と、前記所定の波長の光とを受光することができ、
さらに、前記受光部で受光される前記可視光と前記所定の波長の光とのそれぞれの受光量の比から局所組織酸素濃度を算出する演算部を備える、第２の本発明の生体情報測定装置である。
【００２２】
第１４の本発明は、第１０の本発明の光式生体情報測定装置の、前記受光部で受光される前記光の受光量に基づいて、前記局所脂肪厚を算出する演算部としてコンピュータを機能させるためのプログラムである。
【００２３】
第１５の本発明は、第１４の本発明のプログラムを担持した記録媒体であって、コンピュータで処理可能な記録媒体である。
【００２４】
第１６の本発明は、前記目印表示部は、前記生体表面上の所定の位置に目印を形成するための目印作成部であり、
前記目印作成部は、前記測定面上に形成された１つ以上の貫通孔を有する、第１の本発明の光式生体情報測定装置である。
【００２５】
第１７の本発明は、前記貫通孔は、前記受光部が前記貫通孔を介して外部からの光の影響を受けない位置に配置されている、第１６の本発明の光式生体情報測定装置である。
【００２６】
第１８の本発明は、前記目印表示部は、前記生体表面上の測定すべき位置に目印を形成するための目印作成部であり、
前記測定面には、前記生体表面の測定すべき位置に形成された目印に前記測定面を位置合わせするための位置合わせ部が形成されており、
前記位置合わせ部は、前記目印が形成された生体表面に照射するための位置合わせ光源と、前記位置合わせ光源から前記生体表面に照射され、前記生体表面から反射された光を受光するための少なくとも１つの位置合わせ受光部を有しており、
前記目印は、その光の吸収率または反射率が、前記生体表面上の前記目印が形成されていない部分における光の吸収率または反射率と異なっており、
前記位置合わせ受光部における受光強度に基づいて前記目印に対する前記測定面の位置合わせ状態を判定する、第１の本発明の光式生体情報測定装置である。
【００２７】
第１９の本発明は、前記目印作成部が前記生体表面上に作成した目印の位置に、前記位置合わせ部の位置を移動することができる駆動機構をさらに備える、第１８の本発明の光式生体情報測定装置である。
【００２８】
第２０の本発明は、前記位置合わせ部および前記目印作成部は、前記測定面にそれぞれ少なくとも２つ形成されている、第１８の本発明の光式生体情報測定装置である。
【００２９】
第２１の本発明は、前記位置合わせ受光部における受光強度に基づいて位置合わせ状態を判定する演算部をさらに備え、
前記位置合わせ光源は、前記位置合わせ部の中心に配置されており、
前記位置合わせ受光部は、前記位置合わせ光源の周囲に均等な間隔で配置される複数の受光体を有しており、
前記演算部は、前記各受光体において受光される光の強度が、実質上互いに等しいとき、位置合わせ状態と判定し、前記各受光体において受光される光の強度が実質上互いに異なるとき、位置ずれ状態と判定する、第１８の本発明の光式生体情報測定装置である。
【００３０】
第２２の本発明は、前記位置合わせ状態または前記位置ずれ状態を表示するための表示部をさらに備え、
前記演算部は、前記位置ずれ状態と判定したとき、前記位置合わせ状態となるべき方向を前記表示部に表示させる、第２１の本発明の光式生体情報測定装置である。
【００３１】
第２３の本発明は、前記生体表面上の所定の位置に目印を表示する工程と、
前記生体表面に表示された目印に、測定面を位置合わせする工程と、
前記生体表面に所定の波長の光を照射する工程と、
前記生体表面に照射され、生体から帰還した光を受光する工程と、
前記受光した光に基づいて前記生体の情報を測定する、光式生体情報測定方法である。
【００３２】
第２４の本発明は、第２１の本発明の光式生体情報測定装置の、前記位置合わせ受光部における受光強度に基づいて位置合わせ状態を判定する演算部としてコンピュータを機能させるためのプログラムである。
【００３３】
第２５の本発明は、第２４の本発明のプログラムを担持させ、コンピュータにより処理可能な記録媒体である。
【００３４】
第２６の本発明は、第１の本発明の光式生体情報測定装置と、
前記生体に関する情報を入力する入力部と、
前記入力部から入力された情報と、前記光式生体情報測定装置から出力された情報とに基づいて演算を行う演算部と、
前記入力部に入力される情報に対応する生体情報があらかじめ格納されている記憶部と、
前記記憶部にあらかじめ格納されている生体情報および前記演算部によりなされた演算結果を比較する比較部と、を備え、前記生体情報測定装置により測定された情報の判定を行う、生体情報判定装置である。
【００３５】
第２７の本発明は、前記発光部から照射される前記光は近赤外光である、第１の本発明の光式生体情報測定装置である。
【００３６】
第２８の本発明は、前記測定面の表面の少なくとも一部は、前記発光部から照射される近赤外光を吸収する、第２７の本発明の光式生体情報測定装置である。
【００３７】
第２９の本発明は、前記測定面は、凸形状である、第７の本発明の光式生体情報測定装置である。
【００３８】
第３０の本発明は、前記生体表面に表示された目印に測定面を位置合わせする工程は、前記目印に、可視光の一部または全部を反射する測定面を、前記測定面に写された前記生体表面を見ながら位置合わせする工程を含む、第２３の本発明の光式生体情報測定方法である。
【発明の効果】
【００３９】
本発明により、位置合わせ精度良く生体情報を測定できる光式生体情報測定装置、光式生体情報測定方法、そのプログラム、記録媒体、およびそれを利用した生体情報判定装置を提供することができる。
【発明を実施するための最良の形態】
【００４０】
本発明において、発光部は赤外光を照射する。ここで、発光部が照射する光が近赤外光であることが好ましい。なお、本明細書において、赤外光とは、波長が７００ｎｍ以上の光を意味し、近赤外光とは、波長が７００ｎｍ以上、２０００ｎｍ以下の光を意味する。
【００４１】
以下に、本発明の実施の形態について、図面を参照しながら説明する。
【００４２】
（実施の形態１）
図１は、本発明の実施の形態１の光式生体情報測定装置である光式脂肪厚計１１のブロック図である。
【００４３】
生体１２に接触させる測定面１３は、直径１００ｍｍ程度の円盤状の平面であり、鏡面を呈している。光センサであるホトダイオードを有する受光部１４が中央付近に配置されている。そして、実質上８５０ｎｍの波長を含む近赤外光を発光するＬＥＤを有する発光部１５が、受光部１４から約４５ｍｍ離れた位置に配置されている。この発光部１５と受光部１４との距離は３５〜５０ｍｍ程度が皮下脂肪厚計測に適している。
【００４４】
ここで、発光部１５は、波長が８００〜９００ｎｍ付近に中心波長がある光を用いると酸化・還元ヘモグロビンや酸化・還元ミオグロビンの変化による吸収率の変動の影響を受けにくくなり、測定再現性が向上して好ましい。
【００４５】
そして、本発明の可視光源の一例である、赤色発光のＬＥＤを有する可視光源１６が、発光部１５と受光部１４の間のほぼ中央の位置に配置されている。可視光源１６が赤色を発光することは、肌の色が不健康に見えないので好ましい。
【００４６】
また、測定面１３が生体に密着しているかを検出する密着検出部１７も、測定面１３に配置されている。密着検出部１７で密着を検出する方式には、電極により生体１２のインピーダンスを図る方式、密着による圧力を検出する方式、近接された発光素子と受光素子により生体の反射光を測定する方式などがある。また、受光部１４の受光量が規定値以下となることで密着を検出する構成としてもよく、この場合は他の方式に比べて部品点数を削減できる。また、密着検出部１７による密着の検出と受光部１４による受光量の変化の両方で密着を検出してもよい。
【００４７】
なお、これらの密着検出部１７および受光部１４は、本発明の接触検知部を一例として構成する。
【００４８】
演算部１８は、受光部１４から得られた信号から皮下脂肪厚などの局所生体情報を算出する。そして、演算部１８は、その得られた局所生体情報を表示部１９に表示させるか、もしくは、通信部２０を介して外部の機器に送信する。
【００４９】
また、入力部２１では、性別、年齢、計測部位情報を入力することができる。演算部１８は、これらの入力された情報と局所生体情報から生体の肥満度合いなどの健康状態情報を演算し、表示部１９に表示させることもできる。また、演算部１８は、性別、年齢、計
測部位情報や健康状態情報も通信部２０を介して外部機器に送信させることもできる。また、逆に外部機器から通信部２０を通じて、性別、年齢、計測部位情報を取得することもできる。
【００５０】
次に、本実施の形態１の光式生体情報測定装置で局所脂肪厚を測定する動作について説明する。
【００５１】
使用者は、可視光源１６から発光される可視光が、生体１２の測定部位に当たる位置を観察しながら位置合わせを行う。
【００５２】
図２および図３は、本実施の形態１の光式脂肪厚計１１を、二の腕の裏側に位置合わせする方法を示している。
【００５３】
図２のように、使用者は、二の腕の裏側や背中などを自己測定する際、直接観察できない測定部位への位置合わせを、可視光源１６から発光される可視光が照らす測定部位の位置を測定面１３に写る像を見ながら行うことができる。このように、使用者自身で直接目視ができない測定部位でも位置合わせができるようになり、測定再現性の良い測定が可能となる。ここで、生体１２の表面の測定部位に、局所脂肪厚の測定に影響の無い方法で目印を付け、その目印の位置に可視光源１６から発光される可視光を合わせるようにすることで、繰り返し正確に位置合わせすることができ、より再現性のよい測定ができる。
【００５４】
光式脂肪厚計１１の測定面１３が生体１２に密着すると、密着検出部１７により密着が検出されるか、もしくは受光部１４で受光する光の受光量の変化により密着が検出される。生体１２への密着を検出すると、可視光源１６は消灯され、発光部１５のＬＥＤが点灯される。そして、受光部１４で得られた、発光部１５から発光され生体内を通過した近赤外光の受光量に基づいて、演算部１８で局所生体情報である皮下脂肪厚が算出される。
【００５５】
また、音発生部２２が、測定開始、測定中および測定終了を音声で案内することにより、使用者は装置本体が見えなくても、測定の進捗を確認することができる。測定終了後に、光式脂肪厚計１１を測定部位から離し表示部１９を確認することで、スムーズな自己測定が可能となる。
【００５６】
ここで、音発生部２２の代わりに、振動発生部２３を備えた場合、振動により、測定の進捗をあらわすことができ、静かな測定が可能となる。その場合、耳が不自由な使用者も使用することができる。
【００５７】
また、ここでは、測定面１３は可視光を反射する物質でできていることとしたが、測定面１３と光式脂肪厚計１１の一部を透明にして、可視光源１６が照射されている生体１２の表面の部分が、光式脂肪厚計１１本体を通して見えるようにしてもよい。
【００５８】
このようにすることにより、光式脂肪厚計１１が生体１２の表面に密着する直前まで、
可視光源１６により照射されている生体１２の位置が確認できるので、測定面１３をより正確に測定すべき部位に合わせることができる。
【００５９】
図４は、図１に示す光式脂肪厚計１１とは可視光源の位置が異なる光式脂肪厚計３５のブロック図を示している。なお、図１と同じ構成要素については、同じ符号を用いている。
【００６０】
図１に示す光式脂肪厚計１１では、可視光源１６は、発光部１５と受光部１４の間の測定面１３内に配置されていたが、図４の光式脂肪厚計３５では、可視光源３６は、光式脂肪厚計３５の端部に配置されている。
【００６１】
光式脂肪厚計３５を生体１２の測定すべき部位に位置合わせする際、可視光源３６を使用者の見える向きになるように光式脂肪厚計３５を配置して位置合わせを行う。このようにすることにより、光式脂肪厚計３５が生体１２の表面に密着する直前まで、可視光源３６に照射されている生体１２の位置が確認できるので、より正確に測定部位に合わせることができる。
【００６２】
なお、図４では、可視光源３６は測定面１３の外側に配置されているが、測定面１３内の端の部分に配置されていてもよい。このような場合でも、同様の効果が期待できる。
【００６３】
また、可視光源３６は、複数あってもよく、その場合はさらに正確に測定すべき部位に対して測定面１３を位置合わせをすることができる。
【００６４】
図５は、図１に示す光式脂肪厚計１１とは測定面の形状が異なる光式脂肪厚計３１のブロック図を示している。なお、図１と同じ構成要素については、同じ符号を用いている。
【００６５】
図５のように凸形状の鏡面を有する測定面３３を形成することで、測定面３３に測定部位を広範囲に写し出すことができ、図１に示した光式脂肪厚計１１の場合に比べて、さらに位置合わせがしやすくなる。
【００６６】
本実施の形態１の光式脂肪厚計１１では、発光部１５から発光される近赤外光の波長を８５０ｎｍ付近の波長としたが、７５０ｎｍ付近の波長と８５０ｎｍ付近の波長の２種類の波長の近赤外光を発光させるようにすることで、局所酸素濃度も測定することができる。
【００６７】
すなわち、発光部１５を、波長が７５０ｎｍ付近をピークとする第１の発光体と８５０ｎｍ付近をピークとする第２の発光体とが隣接して配置され、これらを連続もしくは間欠的に交互に発光する構成とする。受光部１４は、第１の発光体が発光したときの第１の受光量と、第２の発光体が発光したときの第２の受光量との、異なる２つの受光量を得ることができる。この２つの波長では、酸化ヘモグロビン、還元ヘモグロビン、酸化ミオグロビンおよび還元ミオグロビンの吸収割合が大きく異なるので、この２つの受光量から局所酸素濃度を測定することができる。この場合でも、本発明の可視光源１６から発光される可視光が照らす測定部位の位置を測定面１３に写る像を見ながら位置合わせすることで、自己測定時の直接目視できない部位での位置合わせ精度が向上し、自己測定による局所酸素濃度測定が可能となる。
【００６８】
なお、発光部１５が８５０ｎｍ付近をピークをとする第２の発光体のみを有し、第１の発光体１の代わりに、可視光源１６が利用される構成も考えられる。この場合、可視光源１６が発光する光の波長は、６５０ｎｍ付近となるが、演算部１８がこれら２つの波長の光の受光量から局所酸素濃度を算出することも可能である。この場合、可視光源１６による位置合わせが終了した後、可視光源１６と第２の発光体を交互に発光することにより、受光部１４がこれら２つの波長の光を受光することができればよい。このような構成によれば、第１の発光体が省略できるので、より簡単な構成で局所酸素濃度を測定することができる。
【００６９】
（実施の形態２）
図６は、本発明の実施の形態２の光式生体情報測定装置である光式脂肪厚計４１のブロック図である。なお、図１と同じ構成要素については、同じ符号を用いている。
【００７０】
実施の形態１の光式脂肪厚計１１では受光部１４が１箇所に配置されているのに対し、本実施の形態２の光式脂肪厚計４１では、発光部１５からの距離が異なる位置に、受光部が複数配置されている。図６を用いて、実施の形態１と異なる部分について説明する。
【００７１】
本実施の形態２の光式脂肪厚計４１では、発光部１５からの距離が例えば、１５〜２５ｍｍの位置に第一の受光素子２４が、３５〜５０ｍｍの位置に第二の受光素子２５が、それぞれ測定面１３内に配置されている。
【００７２】
第一の受光素子２４および第二の受光素子２５は、それぞれ、発光部１５から発光され生体内を伝播した近赤外光を受光する。そして、演算部１８は、第一の受光素子２４および第二の受光素子２５で得られた２つの受光量の比から皮下脂肪厚を算出する。このようにして、皮膚の色および厚みの個体差バラツキを補正した皮下脂肪厚計測が可能となる。
【００７３】
このように、２つの受光素子から得られた受光量から皮下脂肪厚み（Ｔ）の算出は、
（数１）
Ｔ＝Ａ・Ｘ１／Ｘ２＋Ｂ
（Ａ、Ｂは係数、Ｘ１、Ｘ２は、それぞれ第１、２受光素子における受光量）
により算出される。詳細は、本出願人による国際特許出願ＰＣＴ／ＪＰ０３／００５８６に記載がある。
【００７４】
なお、この場合、発光部１５から第１の受光素子２４までの距離、および第１の受光素子２４から第２の受光素子２５までの距離がほぼ等しいことが望ましい。図２１は、そのような場合の各素子の配置を示す。図２１に示す光式脂肪厚計４１においては、可視光源１６と第１の受光素子２４とが同一のハウジング４２に収容されており、このハウジング４２は発光部１５と第２の受光素子２５とのほぼ中間に配置されている。
【００７５】
測定面１３と生体１２の測定すべき部位との位置合わせの時には、可視光源１６が点灯し、位置合わせが完了して測定が開始されると、可視光源１６は消灯するので、可視光源１６と第１の受光素子２４を同一のハウジング４２に収容しても両者の干渉はない。
【００７６】
以上に説明したように、本発明の光式生体情報測定装置は、測定部位を可視光で照らす可視光源を有していることにより、測定部位の可視光で照らされた位置を目印に位置合わせを行うことができるので、使用者が簡単に測定したい部位に位置合わせすることができる。
【００７７】
なお、実施の形態１、２において、測定面１３または３３は鏡面を呈していると説明してきたが、測定面１３または３３は可視光の一部を反射する構成であってもよい。その場合でも、可視光源１６から生体１２に照射された光スポットを測定面１３または３３において確認することができさえすれば、上記と同様の効果を得ることができる。
【００７８】
また、測定面１３または測定面３３が近赤外光を吸収する性質を備えることも考えられる。この場合、発光部１５から発光される近赤外光の内、生体１２の表面の浅い部分を伝播する成分が減少し、皮下脂肪厚の測定精度が向上する。このような測定面１３の構成の１例として、鏡面上に呉羽化学工業製ＵＣＦ−０２などの近赤外カットフィルターを重ねた構造がある。
【００７９】
また、実施の形態１、２において、可視光源１６は、生体１２にそのまま照射されてもよいが、リング形状など適当な形状のスリットを介して生体１２に照射されてよい。そのようなスリットを介して生体１２に照射されれば、生体１２上に測定すべき位置をより正確に特定することができる。
【００８０】
さらに、可視光源１６は平行光となるように調整されていてもよいが、拡散光であってもよい。その場合は、測定面１３を生体１２に近づけるにつれ、光スポットが小さくなるので、より正確に測定すべき位置に測定面１３を配置することができる。
【００８１】
また、測定面１３が全く光を反射しない構成であってもよい。この場合、可視光源１６から生体面に照射され測定面１３に写し出された光スポットを確認しながら位置合わせをすることができないが、生体１２上で光スポットの位置を確認しながら、測定面１３を生体１２に接触させることで、従来よりも正確に位置合わせをすることができる、という点では上記と同様の効果が得られる。
【００８２】
なお、実施の形態１、２において、本発明の目印とは、可視光源１６、３６により生体１２の表面に照射された光スポットを意味する。
【００８３】
（実施の形態３）
図７（ａ）は、本発明の実施の形態３における生体情報測定装置である光式脂肪厚計１１１の全体図であり、図７（ｂ）はその上面図、図７（ｃ）はその側面図、図７（ｄ）はその裏面図である。また、図８（ａ）、（ｂ）は光式脂肪厚計１１１をそれぞれ下方と上方からみた斜視図であり、図９はそのブロック図である。生体１２と接する測定面１３のほぼ中心にホトダイオードを備えた、受光部１４が配置されており、受光部１４から所定の間隔を空けて近赤外光を照射するＬＥＤを備えた、発光部１５が配置されている。さらに、２つの位置合わせ部として貫通孔１１５が測定面１３の端部に形成されている。貫通孔１１５は生体１２と接する反対側がすり鉢上にテーパーが設けられている。本実施の形態において、貫通孔１１５は、本発明の目印作成部の一例としても対応している。演算部１１６は、発光部１５を制御し、受光部１４から得られた信号から皮下脂肪厚などの局所生体情報を算出し、得られた局所生体情報を表示部１９に表示するか、もしくは、通信部２０を介して外部の機器に送信する。また、入力部２１は、性別、年齢、計測部位情報を入力することができ、それらの情報と測定により得られた局所生体情報から、生体の肥満度合いなどの健康状態情報を演算部１１６は演算し、表示部１９に表示するか、性別、年齢、計測部位情報とともに通信部２０を介して外部機器に送信する。また、逆に外部機器から通信部２０を通じて性別、年齢、計測部位情報を受信することもできる。ここで、通信部２０の構成としては、ＩｒＤＡやＵＳＢ、ＲＳ−２３２Ｃなどの通信方式を使用すると他の機器との適合性が高くなる。
【００８４】
次に上記の構成の光式脂肪厚計１１１を用いた位置合わせの方法について説明する。１回目の測定時に生体１２の表面に光式脂肪厚計１１１を配置し、２つの貫通孔１１５を通して、ペンやシールにより生体１２の表面上の２箇所に目印をつける。２回目以降の測定時には、貫通孔１１５と目印を合わせて目視確認することで、位置合わせの再現性の良い計測が可能となる。生体１２の表面上の２箇所で位置合わせすることで、非常に正確に測定場所を確定することができる。また、貫通孔１１５という単純な構成であるので、低コストである。さらに、測定面１３の端に貫通孔１１５を配置することで、貫通孔１１５を通して外乱光が生体１２内に入射し、受光部１４で受光されることが低減される。貫通孔１１５は孔形状であるので、測定面１３の端を切り欠いたような形状と違い、目印をつけるときに目印が孔形状より大きくなることがなく正確な位置合わせが可能となる。
【００８５】
本実施の形態３の光式脂肪厚計１１１の好適な寸法の一例としては、測定面１３が約１００ｍｍであり、受光部１４と発光部１５との距離は約４５ｍｍであり、貫通孔１１５の直径は約５ｍｍである。
【００８６】
なお、貫通孔１１５は、上記では測定面１３の端部に配置するとしたが、貫通孔１１５を通した外乱光が受光部１４に影響することが無い位置であれば、どの位置であってもよい。
【００８７】
しかし、貫通孔１１５の位置が受光部１４に外乱光により影響を及ぼす位置であっても、位置合わせをする上では、上記の本発明の効果に変わりはない。
【００８８】
貫通孔１１５は、３個以上であってもよい。逆に貫通孔１１５は１つであってもよい。この場合、２つ以上の貫通孔１１５がある場合と比べると、測定再現性は低下するが、貫通孔１１５が無い従来の構成と比べると、測定再現性は向上する。
【００８９】
また、本実施の形態の以上までの説明では、本発明の位置合わせ部（本発明の目印形成部）は、貫通孔１１５であるとしてきたが、切り欠き等他の形状であることも考えられる。この場合、上記のように正確な位置合わせの点で貫通孔１１５に劣るが、目印形成をすることができない従来の構成と比べると、測定再現性は向上する。
【００９０】
（実施の形態４）
図１０（ａ）は、本発明の実施の形態４における生体情報測定装置である光式脂肪厚計１１１１の全体図であり、図１０（ｂ）は、その上面図であり、図１０（ｃ）はその側面図であり、図１０（ｄ）、図１０（ｅ）は、その裏面図である。また、図１１（ａ）（ｂ）は下方からみた斜視図であり、図１２はそのブロック図である。図１０（ａ）〜（ｅ）、図１１（ａ）（ｂ）、図１２において、図７（ａ）〜（ｄ）、図８（ａ）（ｂ）、図９と同じ構成要素については同じ参照符号を用い、説明を省略する。
【００９１】
測定面１３の周縁部には位置合わせ部１２０と目印作成部１２１とを有する位置変更機構部１２２がある。位置合わせ部１２０は、図１３（ａ）のように既定の波長で発光する、本発明の位置合わせ光源の一例である光源１２３と、その周囲に等角度の間隔で配置された３個の既定の波長で感度のある、本発明の位置合わせ受光部の一例である光センサ１２４とを有する。位置変更機構部１２２は、位置合わせ部１２０と目印作成部１２１との位置を切り換えるために例えば所定の角度だけ回転する。目印作成部１２１は生体１２の皮膚と比較して既定の波長での吸収率もしくは反射率が高い素材からなるシールまたは塗料によって生体１２の表面に目印をつける。そして、位置合わせ部１２０は位置合わせ部１２０の直下に目印１２５があるかを判定する。
【００９２】
次に本実施の形態の光式脂肪厚計１１１１を用いた位置合わせの方法について説明する。まず、一回目の測定時には、図１０（ｄ）や図１１（ａ）に示すように目印作成部１２１が規定の位置へ来るように位置変更機構部１２２を回転させて測定を行う。この測定と同時に目印作成部１２１は生体１２の表面に目印１２５をつける。２回目以降の測定では、図１０（ｅ）や図１１（ｂ）に示すように、位置合わせ部１２０が規定位置（目印作成部１２１が目印１２５をつけたときの目印作成部の位置）に来るように、位置変更機構部１２２を回転させておいて、測定面１３と生体表面につけられた目印１２５とを位置合わせする。ここで、位置変更機構部１２２を回すことで目印作成部１２１はオフとなり不要な目印を生体１２の表面につけない動作となっている。このような動作は、例えば図１５（ａ）（ｂ）に示す構造により実現することができる。図１５（ａ）（ｂ）は、図１１（ａ）（ｂ）に示す状態の光式脂肪厚計１１１１の横断面の模式図である。すなわち、図１１（ａ）、図１５（ａ）に示す、目印１２５の形成時には、塗料供給部２１１と目印作成部１２１とが整合しており、塗料が目印作成部１２１に供給されるが、図１１（ｂ）、図１５（ｂ）に示すように、位置合わせ時には、塗料形成部２１１と目印作成部１２１とは整合しておらず、塗料が目印作成部１２１に供給されない。
【００９３】
ここで、図１３（ｂ）のように目印１２５が位置合わせ部１２０の直下にある場合、３個の光センサ１２４の出力は、生体１２の表面のうち目印１２５が形成されていない部分における出力と異なり、かつこの３個の光センサ１２４の出力値は同じとなる。しかし、図１３（ｃ）や図１３（ｄ）のように、位置合わせ部１２０の位置がずれると３個の光センサ１２４の出力値が変化する。この出力値の変化量は位置ずれの方向に対応して各センサで異なる。従って、各光センサ１２４の出力値から位置ずれの修正の方向が決定される。その方向を図１４（ａ）（ｂ）（ｃ）（ｄ）（ｅ）（ｆ）（ｇ）（ｈ）（ｉ）（ｊ）（ｋ）のように表示部１９に表示することで、使用者に位置合わせを促すことができる。また、２つある位置合わせ部１２０での修正方向が異なる場合には測定面１３が回転方向に修正するように表示部１９に表示する。また、位置合わせができている場合に、図１４（ｌ）のように表示部１９に表示し、または音発生部１２６により音で、もしくは振動発生部１２７により振動で使用者に知らせる。このようにして、表示部１９が見づらくても、音声もしくは振動で使用者は位置合わせができていることがわかる。このようにして、１回目の測定と２回目以降の測定において高精度の位置合わせが可能となる。
【００９４】
このように、本実施の形態の光式脂肪厚計によれば、常に同じ位置で測定することができるため、誤差なく、局所脂肪厚の変化を測定することができる。
【００９５】
なお、図１４（ａ）〜（ｌ）においては、光式脂肪厚計１１１１の位置を移動すべき方向のみを示して説明したが、光式脂肪厚計１１１１の位置を移動すべき方向とその方向への移動の大きさを示すこともできる。例えば、各光センサ１２４における光量に比例して、各光センサ１２４の光量の出力をベクトル合成すれば、移動量がベクトル的に決定され、移動すべき方向とその大きさを決定することができる。
【００９６】
また、表示部１９による視覚的な表示のみにより位置合わせが判定されてもよいし、音声のみにより位置合わせが判定されてもよく、または振動のみにより位置合わせが判定されてもよい。さらには、視覚的な表示、音声による表示、および振動による表示のいずれかが組み合わせられることにより位置合わせが判定されてもよい。また、視覚的、聴覚的、振動的以外の表示により位置合わせが判定されてもよい。そのような場合も、上記と同様の効果を得ることができる。
【００９７】
また、本実施の形態においては、本発明の位置合わせ受光部は、３個の光センサ１２４が光源１２３の周囲に均等に配置されているとして説明したが、光センサ１２４の数は３個に限られない。他の個数の光センサ１２４であっても、光源１２３の周囲に均等に配置されていれば上記と同様の効果を得ることができる。
【００９８】
また、本発明の実施の形態においては、光センサ１２４が光源１２３の周囲に均等に配置されていなくても本発明の光式脂肪厚計１１１１が移動すべき方向、または移動すべき方向とその大きさが決定されるのであれば、光センサ１２４は他のどのような配置であってもよい。
【００９９】
さらに、光センサ１２４が１個の場合も考えられる。その場合は、光センサ１２４が３個の場合に比べて精度が落ちるが、従来よりも正確に位置合わせすることができる、という点で本発明の上記の効果と同様の効果を有すると言える。
【０１００】
また、本実施の形態の説明においては、位置合わせ部１２０は２個あるとしてきたが、３個以上あってもよい。反対に位置合わせ部１２０が１個だけであることも考えられる。例えば、光式脂肪厚計１１１１の測定対象に対する配置方向だけを把握しておけば、位置合わせ部１２０が１個だけであっても、ある程度、正確に位置合わせをすることができる。
【０１０１】
また、目印１２５を磁性体とし、位置合わせ部１２０を、センサとして３個以上の磁気ヘッドによる構成とすることでも同様の効果が得られる。この場合、位置合わせ部１２０の光源１２３は不要となる。
【０１０２】
（本発明に関連する実施の形態１）
以下の実施の形態は、本発明者により発明された本発明に関連する発明に関する。
【０１０３】
図１６は、本発明に関連する実施の形態１の光式生体情報測定装置である光式脂肪厚計３１１のブロック図である。図１６を用いて、本実施の形態の光式生体情報測定装置の構成をその動作とともに説明する。
【０１０４】
光式脂肪厚計３１１において、生体１２に接触する直径１００ｍｍ程度の円盤状の測定面１３は可視光の一部もしくは全てを反射する物質でできている。例えば、測定面１３は鏡面を呈している。
【０１０５】
測定面１３には、波長８５０ｎｍ付近の近赤外光を発光するＬＥＤを有する発光部１５と、生体内を伝播して再び生体１２の表面に現れた光を受光する光センサであるホトダイオードを有する受光部１４が配置されている。ここで、発光部１５は、波長が８００〜９００ｎｍ付近に中心波長がある光を用いると酸化・還元ヘモグロビンや酸化・還元ミオグロビンの変化による吸収率の変動の影響を受けにくくなり、測定再現性が向上して好ましい。
【０１０６】
また、受光部１４は測定面１３のほぼ中央に配置されており、発光部１５との距離は約４５ｍｍである。この発光部１５と受光部１４との距離は、３５〜５０ｍｍ程度が皮下脂肪厚計測に適している。
【０１０７】
演算部３１６は、受光部１４で得られた信号から皮下脂肪厚などの局所生体情報を算出する。そして、演算部３１６は、その得られた局所生体情報を表示部１９に表示させるか、もしくは、通信部２０を介して外部の機器に送信する。
【０１０８】
その他の構成要素で、図１に示すものと同様の構成要素には、同一の参照符号を付し、その説明を省略する。
【０１０９】
次に、本実施の形態の光式生体情報測定装置の測定部位への位置合わせ方法について説明する。図１７および図３は、本実施の形態の光式脂肪厚計３１１を、二の腕の裏側に位置合わせする方法を示している。
【０１１０】
図１７に示すように、使用者は、二の腕の裏側や背中などの自己測定において直接観察できない部位を、測定面１３に写した像を観測しながら位置合わせを行った後、光式脂肪厚計３１１を測定部位に近づけていき、図３のように接触させて測定を行う。このように、直接目視ができない測定部位でも位置合わせが可能になるので、測定再現性の高い自己測定が可能となる。なお、図１７における位置合わせは、発光部１５または受光部１４の位置を基準にして測定面１３に写る像を観測することで、測定すべき部位に合わせ易くなる。このとき、測定すべき部位が発光部１５および受光部１４の中間に当接することが好ましい。従って、発光部１５および受光部１４の中間に位置合わせのための基準が設けられていてもよい。
【０１１１】
次に、図１６とは異なる構成の本実施の形態の光式生体情報測定装置について説明する。
【０１１２】
図１８は、図１６に示す光式脂肪厚計３１１とは測定面の形状が異なる光式脂肪厚計３３１のブロック図を示している。なお、図１６と同じ構成要素については、同じ符号を用いている。
【０１１３】
光式脂肪厚計３３１の測定面３３は、平面形状である光式脂肪厚計３１１の測定面１３とは異なり、凸形状の鏡面を有しており、測定面３３に測定部位を広範囲に写し出すことができ、図１６に示した光式脂肪厚計３１１の場合に比べてさらに位置合わせがしやすくなる。
【０１１４】
本実施の形態の光式脂肪厚計３１１では、発光部１５から発光される近赤外光の波長を８５０ｎｍ付近の波長としたが、実施の形態１で説明したように、７５０ｎｍ付近の波長と８５０ｎｍ付近の波長の２種類の波長の近赤外光を発光させるようにすることで、局所酸素濃度も測定することができる。
【０１１５】
（本発明に関連する実施の形態２）
図１９は、本発明に関連する実施の形態２における光式生体情報測定装置である光式脂肪厚計３４１のブロック図である。なお、図１６と同じ構成要素については、同じ符号を用いている。
【０１１６】
本発明に関連する実施の形態１の光式脂肪厚計３１１では受光部１４が１箇所に配置されているのに対し、本実施の形態２の光式脂肪厚計３４１では、発光部１５からの距離が異なる位置に、受光部が複数配置されている。図１９を用いて、本発明に関連する実施の形態１と異なる部分について説明する。
【０１１７】
本実施の形態の光式脂肪厚計３４１では、受光部として、発光部１５からの距離が約１５〜２５ｍｍの位置に第一の受光素子３２２が、３５〜５０ｍｍの位置に第二の受光素子３２３が、それぞれ測定面１３内に配置されている。
【０１１８】
第一の受光素子２２２および第二の受光素子３２３は、それぞれ、発光部１５から発光され生体内を伝播した近赤外光を受光する。そして、演算部３１６は、第一の受光素子３２２および第二の受光素子３２３で得られた２つの受光量の比から皮下脂肪厚を算出する。このようにして、皮膚の色および厚みの個体差バラツキを補正した皮下脂肪厚計測が可能となる。
【０１１９】
なお、本発明に関連する実施の形態１、２において光式生体情報測定装置の測定面１３は、その全面が可視光を反射する構成としたが、使用者に見える一部のみが可視光を反射するような構成であってもよい。
【０１２０】
また、測定面１３が近赤外光を吸収する性質も兼ね備えれば、近赤外光の内の生体１２の表面から浅い部分を伝播する成分が減少し、皮下脂肪厚の測定精度が向上する。このような測定面１３の構成の１例として、鏡面ミラー上に呉羽化学工業製ＵＣＦ−０２などの近赤外カットフィルターを重ねた構造がある。
【０１２１】
以上説明したように、本実施の形態の光式生体情報測定装置を用いることにより、測定部位が直接目視できなくても、測定ごとの位置ずれがなくなり、測定再現性を向上させることができる。
【０１２２】
以上の本発明に関連する実施の形態１、２は、表面の少なくとも一部が可視光の一部もしくは全部を反射する、生体に接触させるべき測定面と、前記測定面に配置され、所定の波長の光を照射する発光部と、前記測定面に配置され、前記生体表面に照射され生体内を伝播した光を受光する受光部とを備えた、光式生体情報測定装置に関するものである。このような光式生体情報測定装置によれば、自己測定が難しい局所生体情報を自己計測することができる。
【０１２３】
なお、以上までの各実施の形態の光式生体情報測定装置では、各演算部が、受光部で受光した受光量に基づいて局所生体情報を算出することとしたが、受光部で受光した受光量の情報を送信するのみとし、光式生体情報測定装置では局所生体情報を算出しない構成にしてもよい。この場合、通信部２０から送信される受光量の情報をパソコン等の外部機器で受信し、その外部機器で局所生体情報を算出し表示する。
【０１２４】
さらに、その外部機器で算出した局所生体情報を本発明の光式生体情報測定装置に送信するようにし、通信部２０で受信したその局所生体情報を表示部１９に表示してもよい。このように局所生体情報の算出を外部機器で行わせることにより、その算出方法を変えたり、その算出のために必要なデータを変更することが容易にできるようになる。
【０１２５】
また、以上までの説明において、各発光部は近赤外光または可視光を出力するとしてきたが、他の波長の光を出力して生体情報を測定することもあり得る。
【０１２６】
また、以上までの説明において、各光式脂肪厚計は例えば図２２に示すように、生体１２への配置方向を示すマーク５１や、持つ方向を定めるための指に適合するように形成されている凹部５２等を有していてもよい。このような構成により、より正確に生体１２の測定すべき部位に測定面１３を接触させることができる。例えば、マーク５１を身体の長手方向と定めておけば、測定面１３の生体１２への配置方向による測定のばらつきを低減することができる。
【０１２７】
さらに、測定面１３の生体１２への配置方向による測定のばらつきを低減するためには、図２３に示すように、複数の発光部１５および受光部１４を測定面１３に配置し、各受光部１４の受光量の平均から脂肪厚を求めることも考えられる。
【０１２８】
また、以上までの説明の本発明の生体情報測定装置は、脂肪厚測定装置、局所組織酸素濃度測定装置に限られるものではなく、他の生体情報を測定する装置であることもあり得る。
【０１２９】
なお、以上までの説明における寸法の記載は一例であり、他の寸法であることも当然あり得る。
【０１３０】
尚、本発明のプログラムは、上述した本発明の生体情報測定装置の全部又は一部の手段（又は、装置、）の機能をコンピュータにより実行させるためのプログラムであって、コンピュータと協働して動作するプログラムである。
【０１３１】
又、本発明の記録媒体は、上述した本発明の生体情報測定装置の全部又は一部の手段（又は、装置）の全部又は一部の機能をコンピュータにより実行させるためのプログラムを担持した記録媒体であり、コンピュータにより読み取り可能且つ、読み取られた前記プログラムが前記コンピュータと協動して前記機能を実行する記録媒体である。
【０１３２】
尚、本発明の上記「一部の手段（又は、装置）」とは、それらの複数の手段の内の、一つ又は幾つかの手段を意味する。
【０１３３】
又、本発明の上記「手段（又は、装置）の機能」とは、前記手段の全部又は一部の機能を意味する。  
【０１３４】
又、本発明のプログラムの一利用形態は、コンピュータにより読み取り可能な記録媒体に記録され、コンピュータと協働して動作する態様であっても良い。
【０１３５】
又、本発明のプログラムの一利用形態は、伝送媒体中を伝送し、コンピュータにより読みとられ、コンピュータと協働して動作する態様であっても良い。
【０１３６】
又、記録媒体としては、ＲＯＭ等が含まれ、伝送媒体としては、インターネット等の伝送媒体、光・電波・音波等が含まれる。
【０１３７】
又、上述した本発明のコンピュータは、ＣＰＵ等の純然たるハードウェアに限らず、ファームウェアや、ＯＳ、更に周辺機器を含むものであっても良い。
【０１３８】
尚、以上説明した様に、本発明の構成は、ソフトウェア的に実現しても良いし、ハードウェア的に実現しても良い。
【産業上の利用可能性】
【０１３９】
本発明にかかる光式生体情報測定装置は、位置合わせ精度良く生体情報を測定でき、例えば、脂肪厚測定装置等として有用である。
【図面の簡単な説明】
【０１４０】
【図１】本発明の実施の形態１における光式生体情報測定装置のブロック図
【図２】本発明の実施の形態１における光式生体情報測定装置の位置合わせ方法を示す図
【図３】本発明の実施の形態１および５における光式生体情報測定装置の位置合わせ方法を示す図
【図４】本発明の実施の形態１における光式生体情報測定装置のブロック図
【図５】本発明の実施の形態１における光式生体情報測定装置のブロック図
【図６】本発明の実施の形態２における光式生体情報測定装置のブロック図
【図７】（ａ）本発明の実施の形態３の光式生体情報測定装置の全体図（ｂ）本発明の実施の形態３の光式生体情報測定装置の平面図（ｃ）本発明の実施の形態３の光式生体情報測定装置の側面図（ｄ）本発明の実施の形態３の光式生体情報測定装置の裏面図
【図８】（ａ）本発明の実施の形態３の光式生体情報測定装置の斜視図（ｂ）本発明の実施の形態３の光式生体情報測定装置の斜視図
【図９】本発明の実施の形態３の光式生体情報測定装置のブロック図
【図１０】（ａ）本発明の実施の形態４の光式生体情報測定装置の全体図（ｂ）本発明の実施の形態４の光式生体情報測定装置の平面図（ｃ）本発明の実施の形態４の光式生体情報測定装置の側面図（ｄ）本発明の実施の形態４の光式生体情報測定装置の裏面図（ｅ）本発明の実施の形態４の光式生体情報測定装置の裏面図
【図１１】（ａ）本発明の実施の形態４の光式生体情報測定装置の斜視図（ｂ）本発明の実施の形態４の光式生体情報測定装置の斜視図
【図１２】本発明の実施の形態４の光式生体情報測定装置のブロック図
【図１３】（ａ）本発明の実施の形態４の光式生体情報測定装置を使用した位置合わせの様子を表す模式図（ｂ）本発明の実施の形態４の光式生体情報測定装置を使用した位置合わせの様子を表す模式図（ｃ）本発明の実施の形態４の光式生体情報測定装置を使用した位置合わせの様子を表す模式図（ｄ）本発明の実施の形態４の光式生体情報測定装置を使用した位置合わせの様子を表す模式図
【図１４】（ａ）本発明の実施の形態４の光式生体情報測定装置を使用した位置合わせ状態または位置ずれ状態を指示する表示図（ｂ）本発明の実施の形態４の光式生体情報測定装置を使用した位置合わせ状態または位置ずれ状態を指示する表示図（ｃ）本発明の実施の形態４の光式生体情報測定装置を使用した位置合わせ状態または位置ずれ状態を指示する表示図（ｄ）本発明の実施の形態４の光式生体情報測定装置を使用した位置合わせ状態または位置ずれ状態を指示する表示図（ｅ）本発明の実施の形態４の光式生体情報測定装置を使用した位置合わせ状態または位置ずれ状態を指示する表示図（ｆ）本発明の実施の形態４の光式生体情報測定装置を使用した位置合わせ状態または位置ずれ状態を指示する表示図（ｇ）本発明の実施の形態４の光式生体情報測定装置を使用した位置合わせ状態または位置ずれ状態を指示する表示図（ｈ）本発明の実施の形態４の光式生体情報測定装置を使用した位置合わせ状態または位置ずれ状態を指示する表示図（ｉ）本発明の実施の形態４の光式生体情報測定装置を使用した位置合わせ状態または位置ずれ状態を指示する表示図（ｊ）本発明の実施の形態４の光式生体情報測定装置を使用した位置合わせ状態または位置ずれ状態を指示する表示図（ｋ）本発明の実施の形態４の光式生体情報測定装置を使用した位置合わせ状態または位置ずれ状態を指示する表示図（ｌ）本発明の実施の形態４の光式生体情報測定装置を使用した位置合わせ状態または位置ずれ状態を指示する表示図
【図１５】（ａ）本発明の実施の形態４の光式生体情報測定装置の使用状態を示す説明図（ｂ）本発明の実施の形態４の光式生体情報測定装置の使用状態を示す説明図
【図１６】本発明に関連する実施の形態１における光式生体情報測定装置のブロック図
【図１７】本発明に関連する実施の形態２における光式生体情報測定装置の位置合わせ方法を示す図
【図１８】本発明に関連する実施の形態１における光式生体情報測定装置のブロック図
【図１９】本発明に関連する実施の形態２における光式生体情報測定装置のブロック図
【図２０】従来の光式生体情報測定装置のブロック図
【図２１】本発明の光式生体情報測定装置のブロック図
【図２２】本発明の光式生体情報測定装置の斜視図
【図２３】本発明の光式生体情報測定装置の裏面図
【符号の説明】
【０１４１】
１  ＣＰＵ
２  駆動回路
３  発光素子
４  皮下脂肪
５、６、７  受光素子
８  アナログスイッチ
９  ＡＭＰ
１０  測定部位選択入力部
１１、３１、３５、４１  光式脂肪厚計
１２  生体
１３、３３  測定面
１４  受光部
１５  発光部
１６、３６  可視光源
１７  密着検出部
１８  演算部
１９  表示部
２０  通信部
２１  入力部
２２  音発生部
２３  振動発生部
２４  第一の受光素子
２５  第二の受光素子
【図１】
2005288144.tif 000003
【図２】
2005288144.tif 000004
【図３】
2005288144.tif 000005
【図４】
2005288144.tif 000006
【図５】
2005288144.tif 000007
【図６】
2005288144.tif 000008
【図７】
2005288144.tif 000009
【図８】
2005288144.tif 000010
【図９】
2005288144.tif 000011
【図１０】
2005288144.tif 000012
【図１１】
2005288144.tif 000013
【図１２】
2005288144.tif 000014
【図１３】
2005288144.tif 000015
【図１４】
2005288144.tif 000016
【図１５】
2005288144.tif 000017
【図１６】
2005288144.tif 000018
【図１７】
2005288144.tif 000019
【図１８】
2005288144.tif 000020
【図１９】
2005288144.tif 000021
【図２０】
2005288144.tif 000022
【図２１】
2005288144.tif 000023
【図２２】
2005288144.tif 000024
【図２３】
2005288144.tif 000025